(57)【要約】  ユーザに新鮮な驚きや知的興奮を与えることができる携帯装飾品を提供する  携帯装飾品は、内部に内部空間と、収容対象物を載置する載置面とを有し、載置面の周縁部近傍に孔部を備えた台座部と、内部空間内に移動可能に配置される磁性部材と孔部から台座部上方に突出する上端部とを備え磁性部材の移動と共に移動可能に配置された係止可動部材とを含む係止機構と、台座部より立ち上がる背部と、背部の上端より延在する頂部と、係止可動部材の上端部に対応する部分に設けられた係合部を備え背部に回動可能に接続される扉部材と、扉部材を閉じる力によって変形して弾性力が蓄積されてるように配置された弾性部材と、を備え、台座部の載置面と、閉じたときの扉部材、背部、頂部によって、収容空間が形成され、外表面は膨らみのある立体形状に構成されると共に装飾文様が施されている。
2010073910.tif 000002
【特許請求の範囲】
【請求項１】
第１形状のときは閉じた収容空間を構成し、外部磁性部材に近接させたときに前記収容空間が開かれる第２形状に変形する携帯装飾品であって、
前記第２形状において前記収容空間から収容対象物を取り出し可能に載置する載置面を備えた台座部と、
前記台座部内に移動可能に配置される磁性部材と、
前記台座部より立ち上がる背部と、
前記背部の上端より延在する頂部と、
前記背部、前記台座部、及び、前記頂部の何れかに回動可能に接続される少なくとも一つの扉部材と、
前記磁性部材の移動と共に移動可能に配置された係止可動部材と、前記第１形状のときは前記扉部材を前記台座部に対して係止し且つ前記係止可動部材の可動によって係止を解除するように構成された係止部と、を含む係止機構と、
前記扉部材を閉じる力によって変形して弾性力が蓄積されるように配置された弾性部材と、を備え、
前記台座部の前記載置面と、閉じたときの前記扉部材と、前記背部と、前記頂部とによって、前記収容対象物を取り出し可能に収容できる閉じた収容空間が形成され、
前記第１形状にある前記携帯装飾品の外表面は立体形状に構成され、前記外表面には装飾品としての装飾文様が施されてなり、
前記扉部材を閉じる操作は前記弾性部材の弾性力に抗して行われ、前記扉部材を閉じた状態のときは前記弾性部材の弾性力に抗して閉じられた状態が前記係止機構の係止部によって維持され、
前記外部磁性部材に近接させたとき、前記磁性部材と前記外部磁性部材との間に作用する磁力によって前記磁性部材が移動し、該磁性部材の移動に連動して前記係止部によって維持されていた前記係合状態が解放されて前記扉部材が前記弾性部材の弾性力によって外側に回動し、前記収容空間が開かれるように構成された携帯装飾品。
【請求項２】
第１形状のときは閉じた収容空間を構成し、外部磁性部材に近接させたときに前記収容空間が開かれる第２形状に変形する携帯装飾品であって、
前記第２形状において前記収容空間から収容対象物を取り出し可能に載置する載置面、この載置面の下側に設けられた内部空間、前記載置面の周縁部の近傍で前記内部空間内に連通される孔部、を備えた台座部と、
前記内部空間内に移動可能に配置される磁性部材と、
前記内部空間内に収納されて前記孔部から前記台座部の上方に突出する上端部を備え、前記磁性部材の移動と共に移動可能に配置された係止可動部材を含む係止機構と、
前記台座部より立ち上がる背部と、
前記背部の上端より延在する頂部と、
前記係止可動部材の上端部に対応する部分に設けられた係合部を備え、前記背部、前記台座部、及び、前記頂部の何れかに回動可能に接続される少なくとも一つの扉部材と、
前記扉部材を閉じる力によって変形して弾性力が蓄積されるように配置された弾性部材と、を備え、
前記台座部の前記載置面と、閉じたときの前記扉部材と、前記背部と、前記頂部とによって、前記収容対象物を取り出し可能に収容できる閉じた収容空間が形成され、
前記第１形状にある前記携帯装飾品の外表面は膨らみのある立体形状に構成され、前記外表面には装飾品としての装飾文様が施されてなり、
前記扉部材を閉じる操作は前記弾性部材の弾性力に抗して行われ、前記扉部材を閉じた状態のときは前記扉部材に設けられた前記係合部が前記孔部から突出した前記係止可動部材の上端部と係合して前記弾性部材の弾性力に抗して閉じられた状態が維持され、
前記外部磁性部材に近接させたとき、前記磁性部材と前記外部磁性部材との間に作用する磁力によって前記磁性部材が移動し、該磁性部材の移動に連動して前記係合状態が解放されて前記扉部材が前記弾性部材の弾性力によって外側に回動し、前記収容空間が開かれるように構成された携帯装飾品。
【請求項３】
前記台座部は、上面が平面として形成され、該上面に収容対象物の下部が着脱自在に固定可能な取付部を備えた請求項１又は請求項２に記載の携帯装飾品。
【請求項４】
前記頂部には、通し孔が形成されていることを特徴とする請求項１又は請求項２に記載の携帯装飾品。
【請求項５】
前記頂部には、通し孔が形成されていることを特徴とする請求項３に記載の携帯装飾品。
【請求項６】
前記第１形状にある前記携帯装飾品は涙滴形状若しくは長球形状に形成され前記携帯装飾品の外表面の全面に前記装飾文様が形成され、
更に前記頂部に形成された通し孔と、前記通し孔に装着された飾り紐と、を更に備えてなる請求項１又は請求項２に記載の携帯装飾品。
【請求項７】
前記第１形状にある前記携帯装飾品は涙滴形状若しくは長球形状に形成され前記携帯装飾品の外表面の全面に前記装飾文様が形成され、
更に前記頂部に形成された通し孔と、前記通し孔に装着された飾り紐と、を更に備えてなる請求項３に記載の携帯装飾品。
【請求項８】
携帯ケースと前記携帯ケースに収容可能に形成された収容対象物とを含む玩具であって、
前記携帯ケースは、
収容対象物を取り出し可能に載置する載置面及びこの載置面に収容対象物の下部が着脱自在に固定可能に構成された取付部を備えた台座部と、
前記台座部内に移動可能に配置される磁性部材と、
前記台座部より立ち上がる背部と、
前記背部の上端より延在する頂部と、
前記背部、前記台座部、及び、前記頂部の何れかに回動可能に接続される少なくとも一つの扉部材と、
前記磁性部材の移動と共に移動可能に配置された係止可動部材と、第１の形状のときは前記扉部材を前記台座部に対して係止し且つ前記係止可動部材の移動によって係止を解除するように構成された係止部と、を含む係止機構と、
前記扉部材を閉じる力によって変形して弾性力が蓄積されるように配置された弾性部材と、を備え、
前記台座部の前記載置面と、閉じたときの前記扉部材と、前記背部と、前記頂部とによって前記収容対象物を取り出し可能に収容できる閉じた収容空間が形成され、
前記扉部材を閉じたときの前記携帯ケースの外表面は立体形状に構成され、前記外表面には装飾文様が施されてなり、
前記扉部材を閉じる操作は前記弾性部材の弾性力に抗して行われ、前記扉部材が閉じられたときは前記弾性部材の弾性力に抗して閉じられた状態とした前記第１の形状が前記係止機構の係止部によって維持され、
外部磁性部材に近接させたとき、前記磁性部材と前記外部磁性部材との間に作用する磁力によって前記磁性部材が移動し、該磁性部材の移動に連動して前記係止可動部材が移動することにより前記係止部によって維持されていた前記係合状態が解放されて前記扉部材が前記弾性部材の弾性力によって外側に回動し、前記収容空間が開かれるように構成された装飾玩具。
【請求項９】
携帯ケースと前記携帯ケースに収容可能に形成された収容対象物とを含む玩具であって、
前記携帯ケースは、
収容対象物を取り出し可能に載置する載置面、この載置面に収容対象物の下部が着脱自在に固定可能に構成された取付部、前記載置面の下側に設けられた内部空間、及び、前記載置面の周縁部の近傍で前記内部空間内に連通される孔部、を備えた台座部と、
前記内部空間内に移動可能に配置される磁性部材と、
前記内部空間内に収納されて前記孔部から前記台座部の上方に突出する突出部を備え、前記磁性部材の移動と共に移動可能に配置された係止可動部材を含む係止機構と、
前記台座部より立ち上がる背部と、
前記背部の上端より延在する頂部と、
前記突出部に対応する部分に設けられた係合部を備え、且つ、前記背部、前記台座部、及び、前記頂部の何れかに回動可能に接続される少なくとも一つの扉部材と、
前記扉部材を閉じる力によって変形して弾性力が蓄積されるように配置された弾性部材と、を備え、
前記台座部の前記載置面と、閉じたときの前記扉部材と、前記背部と、前記頂部によって前記収容対象物を取り出し可能に収容できる閉じた収容空間が形成され、
前記扉部材を閉じたときの前記携帯ケースの外表面は膨らみのある立体形状に構成され、前記外表面には装飾文様が施されてなり、
前記扉部材を閉じる操作は前記弾性部材の弾性力に抗して行われ、前記扉部材が閉じられたときは前記扉部材に設けられた前記係合部が前記係止可動部材に設けられた前記突出部と係合して前記弾性部材の弾性力に抗して閉じられた状態が維持され、
外部磁性部材に近接させたとき、前記磁性部材と前記外部磁性部材との間に作用する磁力によって前記磁性部材が移動し、該磁性部材の移動に連動して前記係止可動部材が移動して前記係合状態が解放されて前記扉部材が前記弾性部材の弾性力によって外側に回動し、前記収容空間が開かれるように構成された装飾玩具。
【請求項１０】
前記取付部はピン形状に形成されて前記載置面から突出するように固定されてなり、
前記収容対象物として複数の収容対象物が用意され、前記収容対象物の夫々は下部に前記取付部が嵌合される穴が設けられてなり、
前記複数の収容対象物の何れか一つを前記取付部に装着し前記扉部材を閉じることで前記収容対象物を前記携帯ケース内に収容するように構成された請求項８又は請求項９に記載の装飾玩具。
【発明の詳細な説明】
【技術分野】
【０００１】
本発明は、人形や小物等の収容対象物を収容する容器として使用可能で且つ携帯を可能とする装飾品に関する。更に詳しくは、磁力の作用により扉が開かれる携帯装飾品であり、且つ、玩具でもある物品に関する。
【背景技術】
【０００２】
従来、物品を収容する容器として、装飾性を具備した容器が提案されている。例えば、特許文献１とする実公平７−３６７１２号公報の考案は、容器本体と蓋体とから成る蓋付きの扁平な容器であって、外形が扁平な動物等の姿態から成り、しかも容器の所定箇所には着せ替え部材が着脱自在に装着されて成ることを特徴とする玩具兼用容器である。
特許文献１に記載の容器は、物品を収容する収容空間を具備するのみならず容器の外形が動物等の姿態から成るため、容器自体に装飾性が具備されている。又、この容器は、着せ替え部材が装着されているため、容器を着せ替え玩具として遊ぶこともできる。しかしながら、この容器は、販売店頭で容器内に収納された商品を陳列することを主目的として構成されているものであるため、着せ替え部材を粘着テープや磁石等を介して装着可能にすることの工夫がなされているが、蓋体を容器本体から取り外すときにはなんら動作が行われるものではなかった。
又、磁力や弾性力の作用により変形動作が行われる様々な玩具が提案されている。例えば、特許文献２とする特開２００７−２１５８９８号公報には、外部構造体と、該外部構造体の内部に収容される内部構造体と、玩具の内部に可動的に配置された磁性部材と連動して作動する係止手段と、を備え、磁力の作用により第１の形状から第２の形状へ変形する玩具が提案されている。
この玩具は、磁力が作用しない場合には、外部構造体を構成する複数の構成部材が付勢手段の力に抗して係止手段により球形形状等転動走行可能な第１の形状が維持され、一方、磁力が作用した場合には、磁性部材の移動に連動して係止手段による係止状態が解除されることで球形形状に折り畳まれていた外部構造体の複数の構成要素間の結合が解除され外方に広がることによって第１の形状から隠れているキャラクタの形状が現れる第２の形状へと変形するものであるが、内部空間は外部構造体と機械的に結合したキャラクタの構成部材を分離不可に収容するもので、前記キャラクタの構成部材とは別に用意された収容対象物を着脱自在に収容する空間を提供するものではない。
【特許文献１】実公平７−３６７１２号公報
【特許文献２】特開２００７−２１５８９８号公報
【発明の開示】
【発明が解決しようとする課題】
【０００３】
特許文献１の考案は、蓋を開くとき何ら動作が行われるものでなく、携帯装飾品としての商品価値に乏しいといった問題点があった。特許文献２の発明は、玩具を転動走行させるなどして、走行面に配置された外部磁性部材に玩具が近接したとき、玩具に磁力が作用し、転動自在な第１の形状で走行している玩具が瞬時に走行停止し、第１形状時に隠れていたキャラクタが現れる第２の形状に変形させるものであるが、物品を収容可能な収容空間を具備しておらず、容器としての機能を有しているものではなかった。
本発明は、このような従来技術の問題点に鑑みてなされたものであり、扉が閉じられたときの外表面には装飾品としての装飾が施されると共に内部に種々の小物を収容可能な収容空間を備え、低年齢の幼児にも容易に開閉することができると共に、ユーザに新鮮な驚きや知的興奮を与えることができる携帯装飾品或いは装飾玩具を提供することを目的としている。
【課題を解決するための手段】
【０００４】
本発明の携帯装飾品は、第１形状のときは閉じた収容空間を構成し、外部磁性部材に近接させたときに前記収容空間が開かれる第２形状に変形する携帯装飾品であって、前記第２形状において前記収容空間から収容対象物を取り出し可能に載置する載置面を備えた台座部と、前記台座部内に移動可能に配置される磁性部材と、前記台座部より立ち上がる背部と、前記背部の上端より延在する頂部と、前記背部、前記台座部、及び、前記頂部の何れかに回動可能に接続される少なくとも一つの扉部材と、前記磁性部材の移動と共に移動可能に配置された係止可動部材及び前記第１形状のときは前記扉部材を前記台座部に対して係止し且つ前記係止可動部材の可動によって係止を解除するように構成された係止部を含む係止機構と、前記扉部材を閉じる力によって変形して弾性力が蓄積されるように配置された弾性部材と、を備え、前記台座部の前記載置面と、閉じたときの前記扉部材と、前記背部と、前記頂部とによって、前記収容対象物を取り出し可能に収容できる閉じた収容空間が形成され、前記第１形状にある前記携帯装飾品の外表面は立体形状に構成され、前記外表面には装飾品としての装飾文様が施されてなり、前記扉部材を閉じる操作は前記弾性部材の弾性力に抗して行われ、前記扉部材を閉じた状態のときは前記弾性部材の弾性力に抗して閉じられた状態が前記係止機構の係止部によって維持され、前記外部磁性部材に近接させたとき、前記磁性部材と前記外部磁性部材との間に作用する磁力によって前記磁性部材が移動し、該磁性部材の移動に連動して前記係止部によって維持されていた前記係合状態が解放されて前記扉部材が前記弾性部材の弾性力によって外側に回動し、前記収容空間が開かれるように構成されているものである。
又、本発明の携帯装飾品は、前記台座部には前記載置面の下側に内部空間を備えると共に前記載置面の周縁部の近傍に台座部の内部空間内に連通される孔部をも備え、前記可動係止部材は前記孔部から台座部上方に突出する上端部を備え、前記扉部材には係合部が設けられて前記孔部から突出した係止可動部材の先端と係合部とが係合されて扉部材の閉じた状態を維持するようにすることがある。
前記台座部は、上面が平面として形成されて、該上面に収容対象物の下部が着脱自在に固定可能な取付部を備えている。
そして、この携帯装飾品は、前記頂部に、通し孔が形成されている。
又、この携帯装飾品は、前記第１形状にある前記携帯装飾品は涙滴形状若しくは長球形状に形成され前記携帯装飾品の外表面の全面に前記装飾文様が形成され、更に前記頂部に形成された通し孔と、前記通し孔に装着された飾り紐と、を更に備えてなるものである。
又、この携帯装飾品は、携帯ケースとして形成されているものでもあり、この携帯ケースと携帯ケースに収容可能に形成された収容対象物とによって構成される装飾玩具として用いることができるものである。したがって、本発明の装飾玩具は、携帯ケースと収容対象物とを含む装飾玩具であって、前記携帯ケースは、収納対象物を取り出し可能に載置する載置面及びこの載置面に収容対象物の下部が着脱自在に固定可能に構成された取付部を備えた台座部と、前記台座部内に移動可能に配置される磁性部材と、前記台座部より立ち上がる背部と、前記背部の上端より延在する頂部と、前記背部、台座部又は頂部に接続される扉部材と、前記磁性部材の移動と共に移動可能に配置された係止可動部材及び前記扉部材を前記台座部に対して係止して前記係止可動部材の移動によって係止を解除する係止部を含む係止機構と、前記扉部材を閉じる力によって変形して弾性力が蓄積されるように配置された弾性部材と、を備え、前記台座部の前記載置面と、閉じたときの前記扉部材と、前記背部と、前記頂部とによって前記収容対象物を取り出し可能に収容できる閉じた収容空間が形成され、前記扉部材を閉じる操作は前記弾性部材の弾性力に抗して行われ、前記扉部材が閉じられたとき前記弾性部材の弾性力に抗して閉じられた状態が維持され、外部磁性部材に近接させたとき磁力によって前記磁性部材が移動し、該磁性部材の移動に連動して前記係止可動部材が移動して前記係合状態が解放され前記扉部材が前記弾性部材の弾性力によって外側に回動し、前記収容空間が開かれるように構成されているものである。
又、この携帯ケースと携帯ケースに収容可能に形成された収容対象物とによって構成される装飾玩具としては、携帯ケースと収容対象物とを含む装飾玩具であって、前記携帯ケースは、前述のごとく、収納対象物を取り出し可能に載置する載置面、この載置面に収容対象物の下部が着脱自在に固定可能に構成された取付部、前記載置面の下側に設けられた内部空間、及び、前記載置面の周縁部の近傍で前記内部空間に連通する孔部、を備えた台座部と、前記台座部の内部空間内に移動可能に配置される磁性部材と、前記内部空間に収納されて前記載置面の周縁部近傍に形成される孔部から前記台座部上方に突出する突出部を備えて前記磁性部材の移動と共に移動可能に配置された係止可動部材を含む係止機構と、前記台座部より立ち上がる背部と、前記背部の上端より延在する頂部と、前記背部、台座部又は頂部に接続される扉部材と、前記扉部材を閉じる力によって変形して弾性力が蓄積されるように配置された弾性部材と、を備え、前記台座部の前記載置面と、閉じたときの前記扉部材と、前記背部と、前記頂部によって前記収容対象物を取り出し可能に収容できる閉じた収容空間が形成され、前記扉部材を閉じる操作は前記弾性部材の弾性力に抗して行われ、前記扉部材が閉じられたとき前記係合部が前記係止可動部材に設けられた前記突出部と係合して閉じられた状態が維持され、外部磁性部材に近接させたとき磁力によって前記磁性部材が移動し、該磁性部材の移動に連動して前記係止可動部材が移動して前記係合状態が解放され前記扉部材が前記弾性部材の弾性力によって外側に回動し、前記収容空間が開かれるように構成されることもある。
そして、この携帯ケースは、前記取付部がピン形状に形成されて前記載置面から突出するように固定されてなり、前記収容対象物として複数の収容対象物が用意され、前記収容対象物の夫々は下部に前記取付部が嵌合される穴が設けられているものである。したがって、この装飾玩具は、前記複数の収容対象物の何れか一つを前記取付部に装着し前記扉部材を閉じることで前記収容対象物を前記携帯ケース内に収容するように構成されているものである。
【発明の効果】
【０００５】
本発明によれば、外表面にジュエリーやアクセサリーとして携帯可能な装飾が施されると共に内部に種々の小物を取り出し可能に収容できる物品収容空間を備えることで、隠された小物が収容されたジュエリーやアクセサリーとして携帯可能にし、磁力を作用させたときに開扉動作が実行されるように構成することで低年齢の幼児にも容易に開扉することができると共に、弾性部材の弾性力によって瞬時に開扉動作が実行されるように構成することでユーザに新鮮な驚きや知的興奮を与えることができる携帯装飾品或いは装飾玩具を提供することができる。
【図面の簡単な説明】
【０００６】
図１は、本発明の実施例に係る携帯装飾品の閉状態（第１形状）を示す外観斜視図である。
図２は、本発明の実施例に係る携帯装飾品の開状態（第２形状）を示す外観斜視図である。
図３は、本発明の実施例に係る携帯装飾品の閉状態（第１形状）を示す正面模式図である。
図４は、本発明の実施例に係る携帯装飾品の開状態（第２形状）を示す正面模式図である。
図５は、本発明の実施例に係る携帯装飾品をネックレスとしたときの図である。
図６は、本発明の変形例に係る携帯装飾品の閉状態（第１形状）を示す外観斜視図である。
図７は、本発明の変形例に係る携帯装飾品の閉状態（第１形状）を示す正面模式図である。
図８は、本発明の変形例に係る携帯装飾品の開状態（第２形状）を示す正面模式図である。
図９は、本発明の他の変形例に係る携帯装飾品の閉状態（第１形状）を示す外観斜視図である。
図１０は、本発明の他の変形例に係る携帯装飾品の閉状態（第１形状）及び開状態（第２形状）を示す平面模式図である。
図１１は、本発明の他の変形例に係る携帯装飾品の閉状態（第１形状）を示す正面模式図である。
図１２は、本発明の他の変形例に係る携帯装飾品の開状態（第２形状）を示す正面模式図である。
図１３は、本発明のその他の実施例に係る携帯装飾品の閉状態（第１形状）を示す外観正面図である。
図１４は、本発明のその他の実施例に係る携帯装飾品の閉状態（第１形状）を示す外観上面図である。
図１５は、本発明のその他の変形例に係る携帯装飾品の開状態（第２形状）を示す側面図である。
図１６は、本発明のその他の変形例に係る携帯装飾品の開状態（第２形状）を示す正面図である。
図１７は、本発明のその他の実施例に係る携帯装飾品の閉状態（第１形状）を示す側面断面図である。
図１８は、本発明のその他の変形例に係る携帯装飾品の開状態（第２形状）を示す側面断面図である。
図１９は、本発明の更にその他の実施例に係る携帯装飾品の閉状態（第１形状）を示す外観斜視図である。
図２０は、本発明の更にその他の実施例に係る携帯装飾品の開状態（第２形状）を示す外観斜視図である。
図２１は、本発明の更にその他の実施例に係る携帯装飾品の閉状態（第１形状）を示す正面断面図である。
図２２は、本発明の更にその他の実施例に係る携帯装飾品の開状態（第２形状）を示す正面断面図である。
【符号の説明】
【０００７】
１    携帯装飾品（携帯ケース）            ２    台座部
３    頂部                                ４    背部
５    扉部材                              ５ａ  第１扉部材
５ｂ  第２扉部材                          ６    係止機構
９    収容対象物                        １０    外殻
１１    収容空間                          １２    ねじりコイルばね
１２ａ  ねじりコイルばね                  １２ｂ  ねじりコイルばね
１３    外部磁性部材                      ２０    物品取付部
２１    係止可動部材                      ２１ａ  鉤部
２１ｂ  円筒部                            ２２    コイルばね
２３    磁石                              ２８    内部空間
２９    孔部                              ３０    凸部
３１    通し孔                            ４０    軸受部
５０    軸受部                            ５１    係合部
５１ａ  鉤部                              ５２    係止部
５３    係合部
【発明を実施するための形態】
【０００８】
本発明を実施するための最良の形態の携帯装飾品１は、図１に示すように、第１形状のとき閉じた収容空間１１を構成し、図２に示すように、外部磁性部材に近接させたとき前記収容空間１１が開かれる第２形状に変形する携帯装飾品１である。そして、この携帯装飾品１は、図１に示したように、台座部２と、この台座部２に載置される収容対象物を覆うように台座部２の上部に形成される薄肉の外殻１０と、を備えており、第１形状のときに外表面が膨らみのある立体形状に構成され、外表面には装飾品としての装飾文様が施されているものである。又、この携帯装飾品１は、図２に示すように、外部からの磁力の作用により外殻１０を構成する可動部材である扉部材５が両開きに開扉されるように構成されているものである。
そして、この携帯装飾品１は、図３に示すように、上面が収容対象物を取り出し可能に載置する載置面として形成され且つ内部に内部空間２８を有する台座部２と、頂部３と、この頂部３と台座部２とに固定され頂部３が台座部２によって支持されるように配置された背部４と、この背部４に回動可能に接続され閉じたとき頂部３と台座部２の載置面と共に収容空間１１を構成するように配置された二枚の扉部材５と、を備えている。つまり、この携帯装飾品１は、台座部２より立ち上がる背部４と、この背部４の上端より延在する頂部３と、背部４の左右端において回動可能に接続される二枚の扉部材５によって外殻１０を構成して、扉部材５を閉じた第１形状にあるときに台座部２の載置面と外殻１０によって収容対象物９を取り出し可能に収容できる閉じた収容空間１１を形成することができるものである。
更に、この携帯装飾品１は、扉部材５を閉じる力によって変形して弾性力が蓄積されるように背部４と扉部材５との間に配置された弾性部材であるねじりコイルばね１２を備えている。又、携帯装飾品１の台座部２は、内部に内部空間２８を備えて上面である載置面が平面として形成され、収容対象物９の下部が着脱自在に固定可能なように収容空間１１内の台座部２上面に配置された取付部２０と、収容空間１１内における載置面の周縁部の近傍に設けられて内部空間２８内に連通される孔部２９と、を有し、台座部２の外側から見えないように台座部２の内部空間２８内において上下方向に移動可能に配置された磁性部材である磁石２３と孔部２９から台座部２上方に突出する上端部である鉤部２１ａを備え磁石２３の移動と共に移動可能に配置された係止可動部材２１及び内部空間２８内に配置されて係止可動部材２１を付勢する弾性部材であるコイルばね２２によって構成される係止機構６と、を収納するように備えている。
又、この携帯装飾品１は、扉部材５を閉じる操作はねじりコイルばね１２の弾性力に抗して行われ、扉部材５を閉じた状態のとき、係止可動部材２１がコイルばね２２によって上方に付勢されることで、扉部材５の下端において係止可動部材２１の鉤部２１ａに対応する部分に設けられた係合部５１の先端に形成される鉤部５１ａが孔部２９から突出された係止可動部材２１の鉤部２１ａと係合してねじりコイルばね１２の弾性力に抗して閉じられた状態が維持されるように構成されている。
そして、この携帯装飾品１は、図４に示すように、鉄板等の外部磁性部材１３に近接させたとき、磁石２３と外部磁性部材１３との間に作用する磁力によって磁石２３が下方に移動し、この磁石２３の移動に連動して係合状態が解放され扉部材５がねじりコイルばね１２の弾性力によって外側に回動し、収容空間１１が開かれるように構成されている。つまり、この携帯装飾品１は、外部磁性部材１３を近接させることで扉部材５を瞬時に開扉する動作を実行して、収容対象物９が収容されていない場合には取付部２０が現れ、収容対象物９が収容されている場合には収容対象物９が現れるように構成されている。
更に、この携帯装飾品１は、頂部３に凸部３０が形成されており、この凸部３０には紐を通すことのできる通し孔３１が形成されて、ネックレスやキーホルダーとして用いることができるようになっている。特に、図５に示すように、この携帯装飾品１は、ネックレスのペンダントとしてその形状を涙滴形状として形成すると共に外表面の全面に装飾文様を形成し、更に、紐に複数個の球形ビーズやハート型のペンダント等が装着された飾り紐を通し孔３１に装着して用いることが好適である。
【実施例】
【０００９】
以下、本発明の実施例を図に基づいて詳説する。図１及び図２は、本発明の実施例に係る携帯装飾品１の外観を示す斜視図である。そして、図１は携帯装飾品１の閉状態（第１形状）を示す外観斜視図であり、図２は携帯装飾品１の開状態（第２形状）を示す外観斜視図である。
携帯装飾品１は、図１に示すように、第１形状のとき閉じた収容空間１１を構成し、図２に示すように、外部磁性部材に近接させたとき収容空間１１が開かれる第２形状に変形するものである。そして、この携帯装飾品１は、図１及び図２に示すように、下方に配置される台座部２と、該台座部２の上方に配置される薄肉の外殻１０と、から成り、閉状態である第１形状のときに外表面が膨らみのある立体形状に構成され、本実施例においては涙滴形状となるように形成されているものである。
又、この携帯装飾品１は、小さな人形などの種々の小物である収容対象物を収容することができるように、例えば涙滴形状における最大膨出部分の外径が３３ｍｍ、高さが４０ｍｍ程度となるように形成されている。そして、この外表面の全面には宝石を模した星形状体や複数個の球形状体を配置すると共に曲線状の凸部を設けることなどによって装飾品としての美しい装飾文様が施されている。
又、外殻１０は、頂部３、背部４、及び、二枚の扉部材５から構成されるものであって、台座部２の上部に形成されている。そして、この携帯装飾品１は、扉部材５を閉じた第１形状のときに、台座部２と外殻１０とにより収容対象物を収容可能な閉じた収容空間１１を構成しているものである。即ち、この携帯装飾品１は、外殻１０が台座部２に載置される収容対象物を覆うことができるように形成されており、外殻１０と台座部２の上面によって形成されるこの収容空間１１に収容対象物を収容することができるようになっている。
台座部２は、上面である載置面が収容対象物を取り出し可能に載置する平面として形成され、外表面の一部を構成する下面が略曲面に形成されている。又、台座部２の下面は中央部が平面として形成されて、携帯装飾品１が平面台等に載置することができるようになっている。そして、この台座部２の上面中央には、円柱ピン形状に形成された取付部２０が垂設されており、収容対象物の下面に形成される凹部をこの取付部２０に嵌着することで収容対象物を固定することができるようになっている。つまり、収容対象物は下部が着脱自在に固定できるようになっており、収容対象物の下部を取付部２０に装着することで、容易に収容空間１１内に収容対象物を収容することができるようになっている。又、この台座部２は、内部に内部空間を有しており、この内部空間内には後述する磁性部材と係止機構が配置されている。
背部４は、台座部２の後方外周縁から立ち上がる壁面であって、上端において頂部３が延設されている。即ち、背部４は、頂部３と台座部２とに固定されて頂部３が台座部２によって支持されるように配置されているものである。
扉部材５は、背部４の左右端において枢結されているものである。つまり、この扉部材５は、背部４に回動可能に接続されて、図１に示したように、閉じたときに頂部３と背部４と台座部２の載置面と共に収容対象物を取り出し可能に収容できる閉じた収容空間１１を形成するように配置されているものである。
そして、この扉部材５の下端に配設される軸受部５０と背部４の左右端に配設される軸受部４０との間には、弾性部材としてのねじりコイルばね１２が配置されている。つまり、このねじりコイルばね１２は、扉部材５を閉じる力によって変形して弾性力が蓄積されるように背部４と扉部材５との間に配置されて、扉部材５が開扉されるように（即ち、扉部材５が左右外方に回動されるように）扉部材５を付勢している。
次に、図３及び図４を参照して、扉部材５の開閉機構と、その動作について説明する。ここで、図３は、携帯装飾品１の閉状態（第１形状）の正面模式図であり、図４は、携帯装飾品１の開状態（第２形状）の正面模式図である。
携帯装飾品１は、扉部材５がねじりコイルばね１２の弾性力によって開扉されないように閉扉された状態を維持可能な係止手段を有している。この係止手段は、扉部材５の下端に形成される係合部５１と、台座部２の内部空間２８内において上下方向に移動可能に配置される係止可動部材２１を含む係止機構６と、から成るものである。尚、この係止機構６は、係止可動部材２１と後述する弾性部材であるコイルばね２２と磁性部材である磁石２３とから構成され、係止可動部材２１を弾性力と磁力によって、上下方向に移動することができるようになっている。
そして、係合部５１は、扉部材５の下端の略中央において、収容空間１１内である内側に突出するように配設された断面Ｌ字状の部材であって、係止可動部材２１と係合する鉤部５１ａが先端に形成されているものである。つまり、この係合部５１は、係止可動部材２１の上端部である鉤部２１ａに対応する部分に設けられて、扉部材５を閉じたときに係止可動部材２１と係合することができるようになっている。
又、係止可動部材２１は、断面略コ字状の部材であって、左右上端部が扉部材５の係合部５１と係合可能な鉤部２１ａとして形成されているものである。この鉤部２１ａは、台座部２における載置面の周縁部の近傍において内部空間２８内に連通されるように設けられた孔部２９から収容空間１１内に出入り可能に配置されるものである。即ち、この鉤部２１ａは、孔部２９から台座部２上方に突出可能に配置される突出部として形成されているものである。したがって、この係止可動部材２１は、鉤部２１ａが孔部２９より上方に突出した状態のときに係合部５１の鉤部５１ａと係合して扉部材５を係止することができるようになっている。尚、鉤部２１ａの外側の面は、扉部材５の係合部５１の先端が係合したときに係止可動部材２１が容易に下方移動されるように斜面となっている。
更に、この係止可動部材２１は、下面に円筒形状の円筒部２１ｂが垂設されている。そして、この円筒部２１ｂの外周には、弾性部材であるコイルばね２２が巻着されている。このコイルばね２２は、上端が係止可動部材２１に接触され、下端が台座部２の内部空間２８内底面中央に形成される円形凹部の底面に接触されるように内部空間２８内に配置されて、係止可動部材２１を上方に付勢している。
又、円筒部２１ｂの内方には円柱形状の磁石２３が固着されており、この磁石２３に磁力が作用することによって、係止可動部材２１が磁石２３と一体的に下方に移動することができるようになっている。このように、この係止可動部材２１は、下端部が磁石２３の移動と共に移動可能に配置され、更に、下端部がコイルばね２２によって上方に付勢されている。
つまり、係止可動部材２１は磁石２３とコイルばね２２とによって係止機構６を構成し、磁力及び弾性力によって当該係止可動部材２１が上下方向に移動可能となっている。したがって、磁石２３に磁力が作用したときは、コイルばね２２の弾性力に抗して係止可動部材２１が磁石２３と共に下方に移動し、その磁力が作用している状態から作用していない状態へと移行したときは、コイルばね２２の弾性力により係止可動部材２１が磁石２３と共に上方へ移動して、その状態が維持されることとなる。
そして、この携帯装飾品１は、図３に示したように、扉部材５が閉扉されて閉じた収容空間１１を構成した第１形状の状態にあるとき、扉部材５の下端に設けられた係合部５１の鉤部５１ａが、孔部２９から突出された係止可動部材２１の左右上端部である鉤部２１ａと係合して、弾性部材であるねじりコイルばね１２の弾性力に抗してこの閉じられた状態である第１形状が維持される。
そして、図４に示したように、この携帯装飾品１は、磁性部材である磁石２３との間で磁性的に反応する鉄板等の外部磁性部材１３の上に載置されるなどして、磁石２３と外部磁性部材１３とが近接して磁石２３と外部磁性部材１３との間に磁力が作用すると、扉部材５が瞬時に開扉されるものである。即ち、磁石２３に対して台座部２の底部の外側から磁力が作用する位置にこの携帯装飾品１が置かれたとき、外側から作用する磁力によって磁石２３が下方に移動することとなる。
そして、この磁石２３は、係止可動部材２１の下端部に固着されて、係止可動部材２１と一体となっているため、磁石２３が下方に移動すると係止可動部材２１も磁石２３と共に下方に移動する。又、このように係止可動部材２１が磁石２３と共に下方に移動すると、係止可動部材２１の左右上端部である鉤部２１ａが孔部２９を通って内部空間２８内に収容される。このとき、鉤部２１ａは孔部２９から突出されていないため、この係止可動部材２１の鉤部２１ａと扉部材５の係合部５１の先端部である鉤部５１ａとの係合状態が解除される。
つまり、磁石２３と外部磁性部材１３との間に磁力が作用すると、磁石２３の下方移動に連動して係止可動部材２１が移動して係合状態が解放され扉部材５がねじりコイルばね１２の弾性力によって外側に回動することとなる。そして、扉部材５が開扉されると収容空間１１が開かれるため、収容対象物９が収容されていない場合には外殻１０と台座部２によって隠れていた取付部２０が現れ、収容対象物９が収容されている場合には収容対象物９が現れることとなる。
そして、開状態である第２形状の携帯装飾品１の扉部材５を閉じる操作は、ねじりコイルばね１２の弾性力に抗して行われる。具体的には、この携帯装飾品１は、扉部材５をねじりコイルばね１２の弾性力に抗して内方に回動することにより、係止可動部材２１の鉤部２１ａの外側の斜面が扉部材５の係合部５１の先端と係合して、コイルばね２２の弾性力に抗して容易に係止可動部材２１を下方に移動させることができる。そして、更に扉部材５を内方へ回動することにより係止可動部材２１と係合部５１を係合させれば、この携帯装飾品１は、外殻１０内面と台座部２載置面とによって再び閉じた収容空間１１が形成されて、第１形状が維持されることとなる。
以上説明した本実施例に係る携帯装飾品１は、扉部材５の係合部５１が係止可動部材２１と係合して閉状態である第１形状を維持し、磁石２３と外部磁性部材１３との間に磁力を作用させることにより係合状態が解放されて扉部材５が開扉されることによって収容空間１１が開かれて、取付部２０或いは収容対象物９が現れる第２形状に変形するように構成されている成るものである。そして、扉部材５をねじりコイルばね１２の弾性力に抗して閉扉することにより、再度扉部材５が係止可動部材２１に係合して閉状態である第１形状となって再度閉じた収容空間１１が形成されて維持されるように構成されて成るものである。
したがって、この携帯装飾品１は、扉部材５が閉じられたときの外表面にジュエリーやアクセサリーとして携帯可能な装飾が施されると共に内部に種々の小物等の収容対象物９を取り出し可能に収容できる収容空間１１を備えることで、隠された収容対象物９が収容されたジュエリーやアクセサリーとして携帯することができるものである。
そして、この携帯装飾品１は、頂部３の上端において上方に突出するように略円柱形状の凸部３０が設けられており、この凸部３０には、左右方向に貫通する通し孔３１が形成されている。したがって、この携帯装飾品１は、この通し孔３１に紐やチェーンを装着することによって容易にネックレスやキーホルダー等のアクセサリーとして利用することができる。
又、この携帯装飾品１は、図５に示すように、紐に複数個の球形ビーズやハート型のペンダント等が装着された飾り紐を通し孔３１に装着して更に備えることで、お洒落なネックレスとして構成することもできる。これにより、幼児であっても容易に身につけて持ち運ぶことができるアクセサリーとして用いることができるため好適である。
又、この携帯装飾品１は、磁力を作用させたときに開扉動作が実行されるように構成されているため、低年齢の幼児にも容易に開扉することができる。更に、この携帯装飾品１は、弾性部材の弾性力によって瞬時に開扉動作が実行されるように構成されているため、ユーザに新鮮な驚きや知的興奮を与えることができる。
そして、この携帯装飾品１は下端である台座部２の内部空間２８内に磁石２３が配置されているため、当該携帯装飾品１が外部磁性部材１３の上に載置されて、磁石２３に台座部２の底部の外側から磁力が作用すると、磁石２３が外部磁性部材１３に吸引されることによって開扉動作が実行されることとなる。したがって、外部磁性部材１３の板状体に携帯装飾品１を載置したときは下方に吸引された磁石２３が台座部２の底部の内側を押さえつけ、携帯装飾品１を扉部材５が開扉された第２の形状として収納した収容対象物９が見える状態で展示されるように安定した直立状態として維持することができる。
又、この携帯装飾品１は、扉部材５を閉扉して閉じた収容空間１１が再度形成されるように復元自在に構成されているため、好みのキャラクタの人形などを収納して楽しむと共に、種々の小物を入れ換えたり、又、何度でも出し入れして使用することができる。
そして、台座部２の内部空間２８内に配置される磁性部材を磁石２３としているため、身近に存在する鉄板等を外部磁性部材１３として携帯装飾品１に近接させることで、開扉動作を実行させることができる。これにより、様々な場所で気軽に開扉させて収容対象物９の出し入れを行うことができる。尚、外部磁性部材１３から成るカードを携帯装飾品１と付属すれば、ユーザはカードを携帯することにより遊戯を行う場所に制限が設けられることなく自由に収容対象物９を出し入れすることができる。
又、この磁石２３は、台座部２の内部空間２８内底部において台座部２の外側から見えないように可動可能に配置されているため、外観性が損なわれることもない。尚、磁石２３を永久磁石とすれば、磁石としての性質を長期間にわたって保持し続けることができるため好適である。
そして、この携帯装飾品１は、図３及び図４に示したように、収容対象物９を収容可能な携帯ケース１として形成されているものでもあり、この携帯ケース１と携帯ケース１に収容可能に形成された収容対象物９とによって構成される装飾玩具として用いることができるものである。
つまり、本発明の装飾玩具は、携帯ケース１と収容対象物９とを含む装飾玩具であって、携帯ケース１は、図１乃至図４に示したように、載置面に収容対象物の下部が着脱自在に固定可能に構成された円柱ピン形状の取付部２０を載置面に備えた台座部２と、台座部２の内部空間２８内に配置される係止機構６と、背部４、頂部３、及び扉部材５と、扉部材５を閉じる力によって変形して弾性力が蓄積されるように配置された弾性部材であるねじりコイルばね１２と、を備えているものである。
ここで、係止機構６は、前述したように、係止可動部材２１と磁性部材である磁石２３と弾性部材であるコイルばね２２とから構成されて、係止可動部材２１が内部空間２８内を上下方向に移動することができるようになっている。
そして、この携帯ケース１は、台座部２の載置面と、閉じたときの扉部材５と、背部４と、頂部３によって収容対象物９を取り出し可能に収容できる閉じた収容空間１１が形成され、扉部材５を閉じる操作はねじりコイルばね１２の弾性力に抗して行われ、扉部材５が閉じられたとき係合部５１が係止可動部材２１に設けられた鉤部２１ａと係合して閉じられた状態が維持され、外部磁性部材１３に近接させたとき磁力によって磁石２３が係止可動部材２１と共に下方に移動して係合状態が解放され扉部材５がねじりコイルばね１２の弾性力によって外側に回動し、収容空間１１が開かれるように構成されているものである。
又、この携帯ケース１に収容される収容対象物９としては、複数の収容対象物９が用意されている。そして、これらの収容対象物９の夫々の下部には、台座部２の載置面から突出するように固定されてなる取付部２０に嵌合される穴が設けられている。したがって、この装飾玩具は、複数の収容対象物９の何れか一つを取付部２０に装着し、扉部材５を閉じることで収容対象物９を携帯ケース１内に収容することができるように構成されている。これにより、取付部２０と嵌合される共通の穴を下部に備え、形状が夫々異なる複数の収容対象物９を携帯ケース１に入れ換えて遊ぶことができる。
尚、取付部２０は、台座部２の載置面と一体的に形成してもよいし、台座部２に穴を設けて、ピン形状とした円柱棒状の取付部２０の上半分が台座部２の載置面から突出するように、この穴に挿入固定するようにしてもよい。
そして、前述の携帯装飾品１、並びに、収容対象物９と共に装飾玩具を構成する携帯ケース１（以下、「携帯装飾品１」として説明する。）は、外殻１０を構成する扉部材５が、前述のように両開きとする場合に限られることなく様々な態様を採用することができる。例えば、図１乃至図４の携帯装飾品１は、二枚の扉部材５の係合部５１を係止可動部材２１の左右上端部である鉤部２１ａによって夫々係止して閉状態を維持し、係止可動部材２１と係合部５１との係合状態を解放することにより、二枚の扉部材５を夫々外方に開扉される構成を採用したが、一方の扉部材５のみを係止可動部材２１によって係止させ、この係止可動部材２１と係合することにより係止された扉部材５によって他方の扉部材５を係止させる構成を採用することもできる。
以下、図６乃至図８を参照して、一方の扉部材５（第１扉部材５ａ）を他方の扉部材５（第２扉部材５ｂ）に係合させた本発明の変形例について述べる。図６は携帯装飾品１の閉状態（第１形状）を示す外観斜視図であり、図７及び図８は携帯装飾品１の閉状態（第１形状）及び開状態（第２形状）の正面模式図である。この変形例に係る携帯装飾品１は、図６及び図７に示すように、長球形状に形成されているものであって、外表面の全面に宝石を模したハート形状体や複数個の球形状体を配置すると共に曲線状の凸部を設けることなどによって装飾品としての美しい装飾文様が施されているものである。
そして、この携帯装飾品１は、図１乃至図４に示したものと略同様の構成となっているが、扉部材５が左右対称ではなく、前述と同様に係止可動部材２１によって係止される第１扉部材５ａと、係止可動部材２１ではなくこの第１扉部材５ａに一部が重なるように係合することによって係止される第２扉部材５ｂと、から構成されている。又、第１扉部材５ａは、前述と同様に横方向に回動するように構成されているが、第２扉部材５ｂは、縦方向に回動するように構成されているものである。
この第１扉部材５ａは、図８に示すように、背部４に回動可能に接続されている。そして、第１扉部材５ａの上側の軸受部５０と背部４の軸受部４０との間には、弾性部材としてのねじりコイルばね１２ａが配置されている。つまり、このねじりコイルばね１２ａは、第１扉部材５ａを閉じる力によって変形して弾性力が蓄積されるように背部４と第１扉部材５ａとの間に配置されて、第１扉部材５ａが開扉されるように（即ち、第１扉部材５ａが外方に回動されるように）第１扉部材５ａを付勢している。
第２扉部材５ｂは、背部４ではなく台座部２に回動可能に接続されている。そして、同様に第２扉部材５ｂの軸受部には弾性部材としてのねじりコイルばね１２ｂが配置されている。つまり、このねじりコイルばね１２ｂは、第２扉部材５ｂを閉じる力によって変形して弾性力が蓄積されるように台座部２と第２扉部材との間に配置されて、第２扉部材５ｂを開扉させるように（即ち、第２扉部材５ｂが外方に回動されるように）第２扉部材５ｂを付勢している。
そして、台座部２の内部空間２８内に配置される係止可動部材２１は、その一端に上方に突出するように一つの鉤部２１ａを備えて断面略Ｌ字状を呈している。又、台座部２の上面周縁部における所定位置には、この鉤部２１ａに対応した矩形状の孔部２９が形成されている。
そして、この携帯装飾品１は、第１扉部材５ａのハート型の宝石装飾部の縁部と第２扉部材５ｂの開口の縁部とが互いに重なり合うように形成されている。具体的には、この変形例に係る携帯装飾品１は、第１扉部材５ａのハート型の宝石装飾部の第２扉部材５ｂ側の縁部が係止部５２として形成され、更に、第２扉部材５ｂの開口の縁部が第１扉部材５ａのハート型宝石装飾部の外周縁より第１扉部材５ａ側内方に突出する係合部５３として形成されている。
したがって、第２扉部材５ｂを閉扉した後に第１扉部材５ａを閉扉することで、第１扉部材５ａの係止部５２を第２扉部材５ｂの係合部５３が覆われるように重ねて係合させて、第２扉部材５ｂを第１扉部材５ａによって係止することができる。
これにより、第１扉部材５ａは、図１乃至図４に示したものと同様に、係合部５１の鉤部５１ａが係止機構６のコイルばね２２の弾性力によって上方に付勢される係止可動部材２１の鉤部２１ａと係合することにより第１扉部材５ａを付勢するねじりコイルばね１２ａの弾性力に抗して係止されるが、第２扉部材５ｂは、開口縁部である係合部５３が第１扉部材５ａのハート型宝石装飾部の縁部である係止部５２と重なるように係合することにより第２扉部材５ｂを付勢するねじりコイルばね１２ｂの弾性力に抗して係止される。
そして、第１扉部材５ａと第２扉部材５ｂが閉じられると、図７に示したように、この扉部材５と背部４、頂部３によって構成される外殻１０の内部が底面を台座部２の載置面とする閉じた収容空間１１として形成されることとなる。
そして、図８に示したように、台座部２の底部の外側において磁石２３と近接するように外部磁性部材１３が配置されて外部磁性部材１３と磁石２３との間に磁力が作用すると、コイルばね２２の弾性力に抗して磁石２３が係止可動部材２１と一体的に下方に移動する。そして、孔部２９から係止可動部材２１の鉤部２１ａが突出していない状態まで係止可動部材２１が下方に移動すると、係止可動部材２１と第１扉部材５ａの係合状態が解放されて第１扉部材５ａがねじりコイルばね１２ａの弾性力によって瞬時に横方向に開扉される。
そして、第１扉部材５ａが開扉すると、第１扉部材５ａの係止部５２と第２扉部材５ｂの係合部５３との係合状態が解放されるため、第２扉部材５ｂも第１扉部材５ａの開扉動作に連動してねじりコイルばね１２ｂの弾性力により瞬時に縦方向に開扉されることとなる。
このように、第１扉部材５ａによって第２扉部材５ｂを係止させれば、台座部２の載置面周縁部に形成する孔部２９と、係止可動部材２１の鉤部２１ａを一つにすることができるため、収容空間１１に載置できる収容対象物９の自由度を向上させることができる。又、開閉動作を横方向だけでなく上下方向に行わせることができるため、携帯装飾品１の商品価値をより向上させることができる。尚、本変形例において第２扉部材５ｂは、台座部２に枢結されているが、頂部３や背部４に枢結させてもよい。
そして、扉部材５は二つ設ける場合に限られることもなく、一つであっても三つ以上であってもよい。以下、図９乃至図１２を参照して扉部材５を一つとした本発明の他の変形例について述べる。図９は携帯装飾品１の閉状態（第１形状）を示す外観斜視図である。そして、図１０は、携帯装飾品１の閉状態（第１形状）及び開状態（第２形状）の平面模式図であり、図１１及び図１２は携帯装飾品１の閉状態（第１形状）及び開状態（第２形状）の正面模式図である。本発明の他の変形例に係る携帯装飾品１は、図９に示すように、直方体形状であって、前面に宝石を模した四つ葉形状体などの装飾が施されているものである。
又、この携帯装飾品１は、図６乃至図８に示したものと略同様の構成となっているが、第２扉部材５ｂが配設されておらず、矩形箱状の扉部材５が一つだけ配設されているものである。そして、この扉部材５は、図１０に示すように、一端が背部４に枢結され、他端に内面より内方に突出する係合部５１が設けられている。
そして、前述と同様に、この係合部５１は係止可動部材２１の先端と係合されて、閉状態が維持され、外部磁性部材１３と磁石２３との間に磁力が作用すれば係合状態が解放されて扉部材５が開扉されることとなる。具体的には、図１０（ａ）及び図１１に示すように、コイルばね２２の弾性力によって係止可動部材２１が上方に付勢され、孔部２９より上方に突出した係止可動部材２１の鉤部２１ａの側面と扉部材５の一端下部の係合部５１の側面とが係合することで、この携帯装飾品１は扉部材５を閉じる力によって変形して弾性力が蓄積されるように扉部材５と背部４との間に配設されるねじりコイルばね１２の弾性力に抗して扉部材５が開扉されることなく、扉部材５、背部４、頂部３及び台座部２の載置面によって直方体形状の閉じた収容空間１１の形成された閉状態が維持される。
又、図１０（ｂ）及び図１２に示すように、磁石２３に外部磁性部材１３が下方より近接して外部磁性部材１３と磁石２３との間に磁力が作用すると、磁石２３と共に係止可動部材２１が下方に移動して、係止可動部材２１の鉤部２１ａが孔部２９を介して内部空間２８内に収容される。これにより、係止可動部材２１と扉部材５の係合部５１との係合状態が解放されて、扉部材５がねじりコイルばね１２の弾性力により勢いよく開扉されることとなる。
又、本発明は、以上の実施例に限定されるものでなく、発明の要旨を逸脱しない範囲で自由に変更、改良が可能である。例えば、扉部材５は、背部４に回動可能に接続される場合に限られることもない。即ち、この携帯装飾品１は、扉部材５が一つの場合、図９乃至図１２に示したように、背部４に扉部材５を枢結することなく、台座部２或いは頂部３に枢結させることで前述と同様の開扉動作が実行されるように構成することもできる。
又、この携帯装飾品１は、扉部材５が二つの場合、前述したように両扉部材５を共に背部４に枢結させる場合（図１乃至図４参照）や、一方の扉部材５（第１扉部材５ａ）を背部４に枢結して他方の扉部材５（第２扉部材５ｂ）を背部４又は台座部２や頂部３に枢結させる場合（図６乃至図８参照）に限られることなく、両扉部材５を共に台座部２或いは頂部３に枢結させることとしてもよいし、夫々の扉部材５を背部４又は台座部２や頂部３へ個別に枢結させることとしてもよい。更には、三つ以上の扉部材５を設ける場合でも、この携帯装飾品１は、背部４又は台座部２や頂部３に扉部材５を自由に枢結させて、開扉動作を実行させることもできる。
この三つの扉部材を用いる携帯装飾品１としては、図１３及び図１４に示すように、台座部２や頂部３よりも胴部の中央を太くした八角柱の形状とするものであり、図１３の正面図に示すように、八角柱の八面の内の一面である正面壁を第１扉部材５ａとし、正面壁とした一面の左に隣接する一面である左前方傾斜壁を第２扉部材５ｂとすると共に、正面壁とした一面の右に隣接する一面である右前方傾斜壁を第３扉部材５ｃとするものである。
又、図１４の上面図に示すように、第１扉部材５ａは正面壁の上端らから後方に延びる頂面を有し、この頂面の後端で頂部３の前端に枢着され、第２扉部材５ｂは左前方傾斜壁から左前方傾斜壁とした一面の左に隣接する一面である左側壁部分に延設されており、この第２扉部材５ｂの左側壁部分の後端上縁部分が背部４に枢着され、第３扉部材５ｃも第２扉部材５ｂと同様に右前方傾斜壁から右前方傾斜壁とした一面の右に隣接する一面である右側壁部分に延設され、第３扉部材５ｃの右側壁部分の後端上縁が背部４に枢着されるものである。
そして、この携帯装飾品１は、八角柱の正面壁とした一面の対称位置の一面である後面壁及び後面壁とした一面に隣接した一面である右後方傾斜面、更に後面壁とした一面の左側に隣接した一面である左後方傾斜面とを含んで僅かに右側壁部分の一部と左側壁部分の一部とを備えた幅の背部４を有しているものである。
もっとも、背部４の幅は、後面壁及び左後方傾斜壁と右後方傾斜壁までとし、第２扉部材５ｂを左前方傾斜壁及び左側壁から左後方傾斜壁に至る大きさとし、第３扉部材５ｃを右前方傾斜壁及び右側壁から右後方傾斜壁に至る大きさとする場合や、第１扉部材５ａの幅を正面壁のみでなく右前方傾斜壁から左前方傾斜壁に至る幅とする場合などもある。
この様に、第１扉部材５ａを頂部３に、第２扉部材５ｂ及び第３扉部材５ｃは後端上方を背部４に、各々軸受部４０及び軸受部５０により枢着しているため、図１３に示した閉状態（第１形状）から図１５に示すように開状態（第２形状）に変化させることができる。
そして、開いた状態の側面図である図１５及び開いた状態の正面図である図１６、閉じた状態の側面断面図である図１７に示すように、第１扉部材５ａ、第２扉部材５ｂ、第３扉部材５ｃ及び背部４の内側には、収容対象物を収納し得る収容空間１１が形成され、下方には内部に内部空間２８を形成するように載置面を形成する天板を備えた台座部２を有し、この載置面の略中央に棒状の物品取付部２０が形成されているものである。
また、この第１扉部材５ａ、第２扉部材５ｂ及び第３扉部材５ｃは、頂部３や背部４の軸受部４０に対して各々の扉部材の軸受部５０により頂部３や背部４に枢着されており、この軸受部４０，５０には各扉部材を開扉方向に付勢するねじりコイルばね１２ａを有するものである。
そして、第２扉部材５ｂ及び第３扉部材５ｃは、その下端において内側に膨出する係止部５２を有し、第１扉部材５ａはその下端において内側に突出する係合部５１を有し、この係合部５１の先端には下方に突出する鉤部５１ａを有するものである。
更に、図１７に示したように台座部２の内部空間２８の内部には、コイルばね２２により上方に付勢される係止可動部材２１を有し、この係止可動部材２１の円筒部２１ｂには磁石２３が固着され、台座部２の内部空間２８内において台座部２の周縁前方近傍の位置において、係止可動部材２１は当該係止可動部材２１から上方に膨出する鉤部２１ａを有するものである。
また、台座部２は、その周縁の前方部分に孔部２９を有し、第２扉部材５ｂ及び第３扉部材５ｃを閉扉状態として第１扉部材５ａを閉じると、第１扉部材５ａに設けた係合部５１の先端が孔部２９から台座部２の内部空間２８に挿入され、係合部５１の鉤部５１ａと係止可動部材２１の鉤部２１ａとが内部空間２８内で係合して第１扉部材５ａの閉扉状態を維持させることができる。
そしてこのとき、第２扉部材５ｂや第３扉部材５ｃの下端内側に設けた係止部５２の前方端が第１扉部材５ａの内側面と接触し、第２扉部材５ｂ及び第３扉部材５ｃの閉扉状態も維持されることになる。
この第１扉部材５ａ及び第２扉部材５ｂや第３扉部材５ｃを閉扉状態とした携帯装飾品１の下面に外部磁性部材１３を当接すると、図１８に示したように、係止可動部材２１がコイルばね２２の弾性力に抗して降下し、係止可動部材２１と第１扉部材５ａの係合部５１との係合が外れ、第１扉部材５ａが軸受部５０と軸受部４０との間に配置される図示されないねじりコイルばね１２ａの弾性力によって開くと共に、第１扉部材５ａにより係止部５２が押えられていた第２扉部材５ｂ及び第３扉部材５ｃも軸受部５０と軸受部４０との間に配置されるねじりコイルばね１２ａの弾性力によって瞬時に開くものである。
尚、この携帯装飾品１は、頂部３の上面に通し孔３１を備えた凸部３０を有し、適宜、通し孔３１に紐やチェーンを装着することにより吊下げることを可能としていることは、前述の携帯装飾品１と同様である。
また、２つの扉部材を台座部２に枢着する携帯装飾品１としては、図１９及び図２０に示すように、上面や側面を僅かに湾曲させた曲面とする立方体形状とするものがある。
この携帯装飾品１は、図２０に示すように、下方の台座部２における載置面の略中央に短円柱状の物品取付部２０を有し、この台座部２の後端から上方に延びる平板状の背部４を有し、背部４の上端から台座部２と略平行に前方に延設される頂部３を有し、頂部３の上面に通し孔３１を備えた凸部３０を有するものである。
更に台座部２の上面左右端部には、略円柱形状とされた台座部側の軸受部４０を有し、この軸受部４０と同軸とするように略円柱形状とする扉部材側の軸受部５０を配置して台座部２の右側に第１扉部材５ａを、台座部２の左側に第２扉部材５ｂを設けるものである。
この第１扉部材５ａは、略矩形の台座部２の前面から上方に延設される板状の前面板と上面板の一部（図１９参照）、及び、図２０に示すように板状の右側板と後面板の一部を備えた箱状の形状とされ、第２扉部材５ｂも平板状の右側板とその周囲３方を囲むように、前面板の一部、上面板の一部、背面板の一部を備えた形状とされ、閉扉状態とされたとき、内部に収容空間１１を形成することができる形状とされているものである。
尚、この扉部材に設けた軸受部５０及び台座部２に設けた軸受部４０の間には図示されないねじりコイルばねを配置して第１扉部材５ａ及び第２扉部材５ｂを各々開扉方向に付勢しているものである。
そして、この台座部２は、図２１及び図２２に示すように、内部に内部空間２８を有し、この内部空間２８の内部に係止可動部材２１、磁石２３、及び、コイルばね２２を有するものである。
この係止可動部材２１は、略中央に円筒部２１ｂを備えてこの円筒部２１ｂの内部に磁石２３が固着され、円筒部２１ｂの外周にコイルばね２２が巻着されて上方に付勢されることにより、台座部２の天板下面に押圧されているものである。また、この係止可動部材２１は、円筒部２１ｂから左右の軸受部５０の位置に延びる延設部を有するものである。
更に、第１扉部材５ａの軸受部５０及び第２扉部材５ｂの軸受部５０は、その一部が台座部２の内部空間２８の内部に露出するように形成され、第１扉部材５ａの軸受部５０及び第２扉部材５ｂの軸受部５０には、各々、左右の側板の延長位置に係合部５１となる突起を有し、図２１に示したように、第１扉部材５ａや第２扉部材５ｂが閉状態とされたとき、この軸受部５０の各突起である係合部５１を係止可動部材２１の延設部の先端に当接して扉部材の閉状態を維持させるものである。
従って、この携帯装飾品１を外部磁性部材１３の上に置くと、図２２に示したように、磁石２３が外部磁性部材１３に吸着するように降下し、合せて係止可動部材２１が降下することにより延設部と係合部５１との係合が外れ、第１扉部材５ａ及び第２扉部材５ｂを軸受部５０に設けたねじりコイルばねの弾性力によって開かせることができるものである。
このように、携帯装飾品１とすることのできる装飾玩具は、内部空間２８を有する台座部２の内部空間２８に、コイルばね２２などの弾性部材と磁石２３が固定された係止可動部材２１による係止機構６を内蔵し、台座部２から上方に延設される背部４と背部４の上端に設けられる頂部３を有し、台座部２又は背部４や頂部３の何れかに枢着される１つ又は複数の扉部材で構成され、扉部材を開状態に付勢する弾性部材を備えると共に係止機構６により台座部２の周縁近傍で扉部材の少なくとも１つを閉状態に維持することができるようにするものである。
そして、扉部材５を閉じる力によって変形して弾性力が蓄積されるように配置される弾性部材についても、前述のようにねじりコイルばね１２に限定されることなく、圧縮コイルばねや板ばねなどの様々な弾性部材を採用することができる。
又、台座部２の載置面に設けられる取付部２０は、収容対象物９の係合部分と対応して形成されていればよいため、ピン形状に形成される場合に限られることはない。更に、本実施例に係る携帯装飾品１は、収容対象物９の着脱をより確実にするために取付部２０を設けているが、取付部２０を設けることなく収容空間１１内に収容対象物９を収容する構成としてもよい。
そして、台座部２の載置面も平面とする場合に限ることなく、取付部２０の周縁を高くするように段差部分を形成するなど種々の形態を採用することができる。尚、台座部２の上面である載置面を平面とすれば、収容空間１１を効率良く利用することができると共に、より安定して収容対象物９を収容することができるため、好適である。
そして、外形形状は、涙滴形状、長球形状及び直方体形状に限られることなく、様々な形状とすることができ、例えば、十二面体や十六面体、三十二面体などの多面体又は転動自在な略球形形状とすれば、平面台等の上を自由に転がして所定の位置に配置された外部磁性部材１３に磁石２３を近接させることで、磁力が作用した位置で携帯装飾品１に開扉動作を実行させて遊ぶこともできる。
尚、このように、所定の位置に外部磁性部材１３を配置した平面台などの上で携帯装飾品１を転動させて遊ぶ場合、磁石２３が外部磁性部材１３に近接して磁力が作用するときにのみ開扉動作が実行されるように構成されているため、転動する携帯装飾品１は、台座部２が下側に位置して磁石２３と外部磁性部材１３とが近接すると、磁石２３が外部磁性部材１３に吸引されることで転がり動作を停止し、台座部２が下側に位置する安定した正立状態となって扉部材５の開扉動作が実行される装飾玩具として楽しんで遊ぶことができるものである。
即ち、この携帯装飾品１は、外部磁性部材１３が近接していない状態にあっては、確実に収容対象物９を収容空間１１内に保持し、開扉動作を安定した正立状態で実行させることができるため、装飾玩具としての携帯装飾品１からは常に正立状態にある収容対象物９が現れることとなる。
【図１】
2010073910.tif 000003
【図２】
2010073910.tif 000004
【図３】
2010073910.tif 000005
【図４】
2010073910.tif 000006
【図５】
2010073910.tif 000007
【図６】
2010073910.tif 000008
【図７】
2010073910.tif 000009
【図８】
2010073910.tif 000010
【図９】
2010073910.tif 000011
【図１０】
2010073910.tif 000012
【図１１】
2010073910.tif 000013
【図１２】
2010073910.tif 000014
【図１３】
2010073910.tif 000015
【図１４】
2010073910.tif 000016
【図１５】
2010073910.tif 000017
【図１６】
2010073910.tif 000018
【図１７】
2010073910.tif 000019
【図１８】
2010073910.tif 000020
【図１９】
2010073910.tif 000021
【図２０】
2010073910.tif 000022
【図２１】
2010073910.tif 000023
【図２２】
2010073910.tif 000024
【手続補正書】
【提出日】平成22年10月26日(2010.10.26)
【手続補正１】
【補正対象書類名】特許請求の範囲
【補正対象項目名】全文
【補正方法】変更
【補正の内容】
【特許請求の範囲】
【請求項１】
収容空間を備えた携帯装飾品であって、
前記収容空間から収容対象物を取り出し可能に載置する載置面を備えた台座部と、
前記台座部内に移動可能に配置される磁性部材と、
前記台座部より立ち上がる背部と、
前記背部の上端より延在する頂部と、
前記背部、前記台座部、及び、前記頂部の何れかに回動可能に接続される少なくとも一つの扉部材と、
前記磁性部材の移動と共に移動可能に配置された係止可動部材と、前記扉部材を閉じたときは前記扉部材を前記台座部に対して係止し且つ前記係止可動部材の移動によって係止を解除するように構成された係止部と、を含む係止機構と、
前記扉部材を閉じる力によって変形して弾性力が蓄積されるように配置された弾性部材と、を備え、
前記台座部の前記載置面と、閉じたときの前記扉部材と、前記背部と、前記頂部とによって、前記収容対象物を取り出し可能に収容し内部が隠れて見えない閉じた収容空間が形成され、
前記扉部材が閉じた状態にある前記装飾品は、身に付けて携帯可能な大きさの立体形状に構成され、前記外表面には装飾品としての装飾文様が施されてなり、
前記扉部材を閉じる操作は前記弾性部材の弾性力に抗して行われ、前記扉部材を閉じた状態のときは前記弾性部材の弾性力に抗して閉じられた状態が前記係止機構の係止部によって維持され、
前記外部磁性部材に近接させたとき、前記磁性部材と前記外部磁性部材との間に作用する磁力によって前記磁性部材が移動し、該磁性部材の移動に連動して前記係止部によって維持されていた前記係合状態が解放されて前記扉部材が前記弾性部材の弾性力によって外側に回動して開き、隠れて見えない状態にあった前記収容空間が瞬時に現れるように構成された収容空間を備えた携帯装飾品。
【請求項２】
収容空間を備えた携帯装飾品であって
前記収容空間から収容対象物を取り出し可能に載置する載置面と、この載置面の下側に設けられた内部空間と、前記載置面の周縁部の近傍で前記内部空間内に連通される孔部と、を備えた台座部と、
前記内部空間内に移動可能に配置される磁性部材と、
前記内部空間内に収納されて前記孔部から前記台座部の上方に突出する上端部を備え、前記磁性部材の移動と共に移動可能に配置された係止可動部材を含む係止機構と、
前記台座部より立ち上がる背部と、
前記背部の上端より延在する頂部と、
前記係止可動部材の上端部に対応する部分に設けられた係合部を備え、前記背部、前記台座部、及び、前記頂部の何れかに回動可能に接続される少なくとも一つの扉部材と、
前記扉部材を閉じる力によって変形して弾性力が蓄積されるように配置された弾性部材と、を備え、
前記台座部の前記載置面と、閉じたときの前記扉部材と、前記背部と、前記頂部とによって、前記収容対象物を取り出し可能に収容し内部が隠れて見えない閉じた収容空間が形成され、
前記扉部材が閉じた状態にある前記携帯装飾品は、身に付けて携帯可能な大きさに、外表面は膨らみのある立体形状に構成され、前記外表面には装飾品としての装飾文様が施されてなり、
前記扉部材を閉じる操作は前記弾性部材の弾性力に抗して行われ、前記扉部材を閉じた状態のときは前記扉部材に設けられた前記係合部が前記孔部から突出した前記係止可動部材の上端部と係合して前記弾性部材の弾性力に抗して閉じられた状態が維持され、
前記外部磁性部材に近接させたとき、前記磁性部材と前記外部磁性部材との間に作用する磁力によって前記磁性部材が移動し、該磁性部材の移動に連動して前記係合状態が解放されて前記扉部材が前記弾性部材の弾性力によって外側に回動して開き、隠れて見えない状態にあった前記収容空間が瞬時に現れるように構成された収容空間を備えた携帯装飾品。
【請求項３】
前記台座部は、上面が平面として形成され、該上面に収容対象物の下部が着脱自在に固定可能な取付部を備えてなり、前記背部と前記頂部が前記平面に対して固定された位置関係を維持した状態で前記扉部材が開閉される構成である請求項１又は請求項２に記載の携帯装飾品。
【請求項４】
通し孔が、前記台座部に対する位置関係が前記背部を介して固定された前記頂部に形成されていることを特徴とする請求項１又は請求項２に記載の携帯装飾品。
【請求項５】
通し孔が、前記台座部に対する位置関係が前記背部を介して固定された前記頂部に形成されていることを特徴とする請求項３に記載の携帯装飾品。
【請求項６】
前記扉部材が閉じた状態にある前記携帯装飾品は涙滴形状若しくは長球形状に形成され前記携帯装飾品の外表面の全面に前記装飾文様が形成され、
更に前記台座部に対する位置関係が前記背部を介して固定された前記頂部に形成された通し孔と、前記通し孔に装着された飾り紐と、を更に備えてなる請求項１又は請求項２に記載の携帯装飾品。
【請求項７】
前記扉部材が閉じた状態にある前記携帯装飾品は涙滴形状若しくは長球形状に形成され前記携帯装飾品の外表面の全面に前記装飾文様が形成され、
更に前記台座部に対する位置関係が前記背部を介して固定された前記頂部に形成された通し孔と、前記通し孔に装着された飾り紐と、を更に備えてなる請求項３に記載の携帯装飾品。
【請求項８】
携帯ケースと前記携帯ケースに収容可能に形成された収容対象物とを含む玩具であって、
前記携帯ケースは、
収容対象物を取り出し可能に載置する載置面及びこの載置面に収容対象物の下部が着脱自在に固定可能に構成された取付部を備えた台座部と、
前記台座部内に移動可能に配置される磁性部材と、
前記台座部より立ち上がる背部と、
前記背部の上端より延在する頂部と、
前記背部、前記台座部、及び、前記頂部の何れかに回動可能に接続される少なくとも一つの扉部材と、
前記磁性部材の移動と共に移動可能に配置された係止可動部材と、前記扉部材を閉じたときは前記扉部材を前記台座部に対して係止し且つ前記係止可動部材の移動によって係止を解除するように構成された係止部と、を含む係止機構と、
前記扉部材を閉じる力によって変形して弾性力が蓄積されるように配置された弾性部材と、を備え、
前記台座部の前記載置面と、閉じたときの前記扉部材と、前記背部と、前記頂部とによって前記収容対象物を取り出し可能に収容し内部が隠れて見えない閉じた収容空間が形成され、前記台座部の前記載置面と前記背部と前記頂部の位置関係が固定された状態で前記扉部材が開閉可能に構成されてなり、
前記扉部材を閉じたときの前記携帯ケースの外表面は立体形状に構成され、前記外表面には装飾文様が施されてなり、
前記扉部材を閉じる操作は前記弾性部材の弾性力に抗して行われ、前記扉部材が閉じられたときは前記弾性部材の弾性力に抗して閉じられた状態とした前記第１の形状が前記係止機構の係止部によって維持され、
外部磁性部材に近接させたとき、前記磁性部材と前記外部磁性部材との間に作用する磁力によって前記磁性部材が移動し、該磁性部材の移動に連動して前記係止可動部材が移動することにより前記係止部によって維持されていた前記係合状態が解放されて前記扉部材が前記弾性部材の弾性力によって外側に回動して開き、隠れて見えない状態にあった前記収容空間が瞬時に現れるように構成された装飾玩具。
【請求項９】
携帯ケースと前記携帯ケースに収容可能に形成された収容対象物とを含む玩具であって、
前記携帯ケースは、
収容対象物を取り出し可能に載置する載置面、この載置面に収容対象物の下部が着脱自在に固定可能に構成された取付部、前記載置面の下側に設けられた内部空間、及び、前記載置面の周縁部の近傍で前記内部空間内に連通される孔部、を備えた台座部と、
前記内部空間内に移動可能に配置される磁性部材と、
前記内部空間内に収納されて前記孔部から前記台座部の上方に突出する突出部を備え、前記磁性部材の移動と共に移動可能に配置された係止可動部材を含む係止機構と、
前記台座部より立ち上がる背部と、
前記背部の上端より延在する頂部と、
前記突出部に対応する部分に設けられた係合部を備え、且つ、前記背部、前記台座部、及び、前記頂部の何れかに回動可能に接続される少なくとも一つの扉部材と、
前記扉部材を閉じる力によって変形して弾性力が蓄積されるように配置された弾性部材と、を備え、
前記台座部の前記載置面と、閉じたときの前記扉部材と、前記背部と、前記頂部によって前記収容対象物を取り出し可能に収容し内部が隠れて見えない閉じた収容空間が形成され、前記台座部の前記載置面と前記背部と前記頂部の位置関係が固定された状態で前記扉部材が開閉可能に構成されてなり、
前記扉部材を閉じたときの前記携帯ケースの外表面は膨らみのある立体形状に構成され、前記外表面には装飾文様が施されてなり、
前記扉部材を閉じる操作は前記弾性部材の弾性力に抗して行われ、前記扉部材が閉じられたときは前記扉部材に設けられた前記係合部が前記係止可動部材に設けられた前記突出部と係合して前記弾性部材の弾性力に抗して閉じられた状態が維持され、
外部磁性部材に近接させたとき、前記磁性部材と前記外部磁性部材との間に作用する磁力によって前記磁性部材が移動し、該磁性部材の移動に連動して前記係止可動部材が移動して前記係合状態が解放されて前記扉部材が前記弾性部材の弾性力によって外側に回動して開き、隠れて見えない状態にあった前記収容空間が瞬時に現れるように構成された装飾玩具。
【請求項１０】
前記取付部はピン形状に形成されて前記載置面から突出するように固定されてなり、
前記収容対象物として複数の収容対象物がそれぞれ前記取付部に着脱可能に用意され、前記収容対象物の夫々は下部に前記取付部が嵌合される穴が設けられてなり、
前記複数の収容対象物の何れか一つを前記取付部に装着し前記扉部材を閉じることで前記収容対象物を前記携帯ケース内に隠れて見えないように収容する構成の請求項８又は請求項９に記載の装飾玩具。
【手続補正２】
【補正対象書類名】明細書
【補正対象項目名】０００２
【補正方法】変更
【補正の内容】
【０００２】
付勢手段の力に抗して係止手段により球形形状等転動走行可能な第１の形状が維持され、一方、磁力が作用した場合には、磁性部材の移動に連動して係止手段による係止状態が解除されることで球形形状に折り畳まれていた外部構造体の複数の構成要素間の結合が解除され外方に広がることによって第１の形状から隠れているキャラクタの形状が現れる第２の形状へと変形するものであるが、内部空間は外部構造体と機械的に結合したキャラクタの構成部材を分離不可に収容するもので、前記キャラクタの構成部材とは別に用意された収容対象物を着脱自在に収容する空間を提供するものではない。
特許文献１：実公平７−３６７１２号公報
特許文献２：特開２００７−２１５８９８号公報
発明の開示
発明が解決しようとする課題
特許文献１の考案は、蓋を開くとき何ら動作が行われるものでなく、携帯装飾品としての商品価値に乏しいといった問題点があった。特許文献２の発明は、玩具を転動走行させるなどして、走行面に配置された外部磁性部材に玩具が近接したとき、玩具に磁力が作用し、転動自在な第１の形状で走行している玩具が瞬時に走行停止し、第１形状時に隠れていたキャラクタが現れる第２の形状に変形させるものであるが、物品を収容可能な収容空間を具備しておらず、容器としての機能を有しているものではなかった。
本発明は、このような従来技術の問題点に鑑みてなされたものであり、扉が閉じられたときの外表面には装飾品としての装飾が施されると共に内部に種々の小物を収容可能な収容空間を備え、低年齢の幼児にも容易に開閉することができると共に、ユーザに新鮮な驚きや知的興奮を与えることができる携帯装飾品或いは装飾玩具を提供することを目的としている。
課題を解決するための手段
本発明の携帯装飾品は、収容空間を備えた携帯装飾品であって、前記収容空間から
【手続補正３】
【補正対象書類名】明細書
【補正対象項目名】０００３
【補正方法】変更
【補正の内容】
【０００３】
収容対象物を取り出し可能に載置する載置面を備えた台座部と、前記台座部内に移動可能に配置される磁性部材と、前記台座部より立ち上がる背部と、前記背部の上端より延在する頂部と、前記背部、前記台座部、及び、前記頂部の何れかに回動可能に接続される少なくとも一つの扉部材と、前記磁性部材の移動と共に移動可能に配置された係止可動部材及び前記扉部材を閉じたときは前記扉部材を前記台座部に対して係止し且つ前記係止可動部材の移動によって係止を解除するように構成された係止部を含む係止機構と、前記扉部材を閉じる力によって変形して弾性力が蓄積されるように配置された弾性部材と、を備え、前記台座部の前記載置面と、閉じたときの前記扉部材と、前記背部と、前記頂部とによって、前記収容対象物を取り出し可能に収容して内部が見えない閉じた収容空間が形成され、前記扉部材が閉じた状態にある前記装飾品は、身に付けて携帯可能な大きさの立体形状に構成され、前記外表面には装飾品としての装飾文様が施されてなり、前記扉部材を閉じる操作は前記弾性部材の弾性力に抗して行われ、前記扉部材を閉じた状態のときは前記弾性部材の弾性力に抗して閉じられた状態が前記係止機構の係止部によって維持され、前記外部磁性部材に近接させたとき、前記磁性部材と前記外部磁性部材との間に作用する磁力によって前記磁性部材が移動し、該磁性部材の移動に連動して前記係止部によって維持されていた前記係合状態が解放されて前記扉部材が前記弾性部材の弾性力によって外側に回動して開き、隠れて見えない状態にあった前記収容空間が瞬時に現われるように構成されているものである。
又、本発明の携帯装飾品は、前記台座部には前記載置面の下側に内部空間を備えると共に前記載置面の周縁部の近傍に台座部の内部空間内に連通される孔部をも備え、前記可動係止部材は前記孔部から台座部上方に突出する上端部を備え、前記扉部材には係合部が設けられて前記孔部から突出した係止可動部材の先端と係合部とが係合されて扉部材の閉じた状態を維持するようにすることがある。
前記台座部は、上面が平面として形成されて、該上面に収容対象物の下部が着脱自在に固定可能な取付部を備えている。
そして、この携帯装飾品は、前記頂部に、通し孔が形成されている。
【手続補正４】
【補正対象書類名】明細書
【補正対象項目名】０００４
【補正方法】変更
【補正の内容】
【０００４】
又、この携帯装飾品は、前記第１形状にある前記携帯装飾品は涙滴形状若しくは長球形状に形成され前記携帯装飾品の外表面の全面に前記装飾文様が形成され、更に前記頂部に形成された通し孔と、前記通し孔に装着された飾り紐と、を更に備えてなるものである。
又、この携帯装飾品は、携帯ケースとして形成されているものでもあり、この携帯ケースと携帯ケースに収容可能に形成された収容対象物とによって構成される装飾玩具として用いることができるものである。したがって、本発明の装飾玩具は、携帯ケースと収容対象物とを含む装飾玩具であって、前記携帯ケースは、収納対象物を取り出し可能に載置する載置面及びこの載置面に収容対象物の下部が着脱自在に固定可能に構成された取付部を備えた台座部と、前記台座部内に移動可能に配置される磁性部材と、前記台座部より立ち上がる背部と、前記背部の上端より延在する頂部と、前記背部、台座部又は頂部に接続される扉部材と、前記磁性部材の移動と共に移動可能に配置された係止可動部材及び前記扉部材を前記台座部に対して係止して前記係止可動部材の移動によって係止を解除する係止部を含む係止機構と、前記扉部材を閉じる力によって変形して弾性力が蓄積されるように配置された弾性部材と、を備え、前記台座部の前記載置面と、閉じたときの前記扉部材と、前記背部と、前記頂部とによって前記収容対象物を取り出し可能に収容して内部が隠れて見えない閉じた収容空間が形成され、前記台座部の前記載置面と前記背部と前記兆部の位置関係が固定された状態で前記扉部材が開閉可能に構成されてなり、前記扉部材を閉じる操作は前記弾性部材の弾性力に抗して行われ、前記扉部材が閉じられたとき前記弾性部材の弾性力に抗して閉じられた状態が維持され、外部磁性部材に近接させたとき磁力によって前記磁性部材が移動し、該磁性部材の移動に連動して前記係止可動部材が移動して前記係合状態が解放され前記扉部材が前記弾性部材の弾性力によって外側に回動して開き、隠れて見えない状態にあった前記収容空間が瞬時に現われるように構成されているものである。
又、この携帯ケースと携帯ケースに収容可能に形成された収容対象物とによって構成される装飾玩具としては、携帯ケースと収容対象物とを含む装飾玩具であって、前記携帯ケースは、前述のごとく、収納対象物を取り出し可能に載置する載置面、この載置面に収容対象物の下部が着脱自在に固定可能に構成された取付部、前記載置面の下側に設けられた内部空間、及び、前記載置面の周縁部の近傍で前記内部空間に連通
【手続補正５】
【補正対象書類名】明細書
【補正対象項目名】０００５
【補正方法】変更
【補正の内容】
【０００５】
する孔部、を備えた台座部と、前記台座部の内部空間内に移動可能に配置される磁性部材と、前記内部空間に収納されて前記載置面の周縁部近傍に形成される孔部から前記台座部上方に突出する突出部を備えて前記磁性部材の移動と共に移動可能に配置された係止可動部材を含む係止機構と、前記台座部より立ち上がる背部と、前記背部の上端より延在する頂部と、前記背部、台座部又は頂部に接続される扉部材と、前記扉部材を閉じる力によって変形して弾性力が蓄積されるように配置された弾性部材と、を備え、前記台座部の前記載置面と、閉じたときの前記扉部材と、前記背部と、前記頂部によって前記収容対象物を取り出し可能に収容して内部が隠れて見えない閉じた収容空間が形成され、前記扉部材を閉じる操作は前記弾性部材の弾性力に抗して行われ、前記台座部の前記載置面と前記背部と前記兆部の位置関係が固定された状態で前記扉部材が開閉可能に構成されてなり、前記扉部材が閉じられたとき前記係合部が前記係止可動部材に設けられた前記突出部と係合して閉じられた状態が維持され、外部磁性部材に近接させたとき磁力によって前記磁性部材が移動し、該磁性部材の移動に連動して前記係止可動部材が移動して前記係合状態が解放され前記扉部材が前記弾性部材の弾性力によって外側に回動して開き、隠れて見えない状態にあった前記収容空間が瞬時に現われるように構成されることもある。
そして、この携帯ケースは、前記取付部がピン形状に形成されて前記載置面から突出するように固定されてなり、前記収容対象物として複数の収容対象物がそれぞれ前記取付部に着脱可能に用意され、前記収容対象物の夫々は下部に前記取付部が嵌合される穴が設けられているものである。したがって、この装飾玩具は、前記複数の収容対象物の何れか一つを前記取付部に装着し前記扉部材を閉じることで前記収容対象物を前記携帯ケース内に隠れて見えないように収容するように構成されているものである。
発明の効果
本発明によれば、外表面にジュエリーやアクセサリーとして携帯可能な装飾が施されると共に内部に種々の小物を取り出し可能に収容できる物品収容空間を備えることで、隠された小物が収容されたジュエリーやアクセサリーとして携帯可能にし、磁力を作用させたときに開扉動作が実行されるように構成することで低年齢の幼児にも容易に開扉することができると共に、弾性部材の弾性力によって瞬時に開扉動作が実行されるように構成することでユーザに新鮮な驚きや知的興奮を与えることができる携
【国際調査報告】
2010073910.tif 000025
2010073910.tif 000026
2010073910.tif 000027
2010073910.tif 000028